(57)【要約】【課題】小画像の面積が変更された場合や、高輝度な小画像が表示された場合においても他の小画像の輝度への影響を低減する技術を提供すること。【解決手段】表示装置は、表示画像に基づいて画面に画像を表示する表示手段と、前記表示画像が複数の小画像を含む画像である場合、前記画面における各小画像の表示条件に応じて設定された各小画面の許容消費電力以下で、各小画像が表示される領域を駆動させて、各小画像の輝度を制御する制御手段と、を備える。【選択図】図１
2019039980.tif 000002
【特許請求の範囲】
【請求項１】
表示画像に基づいて画面に画像を表示する表示手段と、
前記表示画像が複数の小画像を含む画像である場合、前記画面における各小画像の表示条件に応じて設定された各小画面の許容消費電力以下で、各小画像が表示される領域を駆動させて、各小画像の輝度を制御する制御手段と、を備えることを特徴とする表示装置。
【請求項２】
前記表示画像の表示条件を示す表示条件情報に基づいて、各小画像に対する許容消費電力を決定する電力決定手段をさらに備えることを特徴とする請求項１に記載の表示装置。
【請求項３】
前記表示条件情報は、小画像の面積を含み、
前記電力決定手段は、各小画像の面積に応じて各小画像に対する許容消費電力を決定することを特徴とする請求項２に記載の表示装置。
【請求項４】
前記電力決定手段は、小画像の面積が変更された場合に各小画像に対する許容消費電力を更新することを特徴とする請求項３に記載の表示装置。
【請求項５】
前記表示条件情報は、小画像の輝度情報を含み、
前記電力決定手段は、各小画像の輝度情報に基づいて各小画像に対する許容消費電力を決定することを特徴とする請求項２〜４のいずれか１項に記載の表示装置。
【請求項６】
前記制御手段は、入力された複数の画像データに基づいて各小画像を表示させており、
前記電力決定手段は、各小画像を表示する際に用いられる画像データから輝度情報を取得することを特徴とする請求項５に記載の表示装置。
【請求項７】
前記輝度情報は、小画像がＨＤＲ画像であるかＳＤＲ画像であるかを示す情報であることを特徴とする請求項５又は６に記載の表示装置。
【請求項８】
前記輝度情報は、小画像の最大輝度に関する情報であることを特徴とする請求項５又は６に記載の表示装置。
【請求項９】
前記輝度情報は、小画像の最大輝度と最小輝度との差分であることを特徴とする請求項５又は６に記載の表示装置。
【請求項１０】
前記電力決定手段は、静止画に対して所定の電力を確保し、総電力から前記所定の電力を差し引いた電力を、前記表示条件情報に基づいて他の各小画像に対する許容消費電力とすることを特徴とする請求項２〜９のいずれか１項に記載の表示装置。
【請求項１１】
前記表示手段が有機ＥＬディスプレイであることを特徴とする請求項１〜１０のいずれか１項に記載の表示装置。
【請求項１２】
前記表示手段が液晶ディスプレイであることを特徴とする請求項１〜１０のいずれか１項に記載の表示装置。
【請求項１３】
表示画像に基づいて画面に画像を表示するステップと、
前記表示画像が複数の小画像を含む画像である場合、前記画面における各小画像の表示条件に応じた許容消費電力以下で、各小画像が表示される領域を駆動させて、各小画像の輝度を制御するステップと、を備えることを特徴とする表示装置の制御方法。
【発明の詳細な説明】
【技術分野】
【０００１】
本発明は、表示装置の制御方法に関する。
【背景技術】
【０００２】
ＨＤＲ（Ｈｉｇｈ  Ｄｙｎａｍｉｃ  Ｒａｎｇｅ）と呼ばれる高コントラストな画像を表示する機能を有する表示装置では、従来よりも高い輝度で画像を表示することが可能なものがある。高輝度で画像を表示する場合、表示装置の消費電力が上昇する。表示装置の消費電力を抑制するため、表示される画像に応じて、表示装置が表示可能な輝度（表示輝度）の上限値を制限することがある。この場合、表示される画像が明るい画像である場合にそうでない場合よりも表示装置が表示可能な輝度の上限値が低くなることがある。すなわち、表示される画像が明るい画像である場合にそうでない場合よりも、画像が全体的に暗く表示される。
一方で、一つの表示領域に複数の画面（以下、小画面）を配置し、各々の小画面に異なる画像を表示させることが可能な表示装置がある。このような表示装置で小画面を２つ並べて表示させた場合、ある小画面に表示される画像の輝度が高くなると、表示装置の表示輝度の上限値が低くなり、他の小画面に表示される画像の表示輝度が制限される（表示輝度が低くなる）ことがある。
特に、小画面に高輝度な画像が表示された場合の消費電力がより大きくなるため、他の小画面の輝度に影響を及ぼすことが多くなる。
【０００３】
特許文献１では、画面に主画面と副画面とを表示させ、副画面に対応するバックライトの発光輝度を一定に制御することで、副画面における消費電力を安定させ、主画面の表示輝度への影響を抑制している。
【先行技術文献】
【特許文献】
【０００４】
【特許文献１】特開２０１３−２４６１８５号公報
【発明の概要】
【発明が解決しようとする課題】
【０００５】
しかしながら、特許文献１において、副画面の発光輝度を一定に保ちつつ、副画面の面積を拡大した場合には副画面における消費電力が大きくなるため、主画面のバックライトの発光輝度が不足することがある。このように、複数小画面を表示させたディスプレイにおいて、一の小画面における消費電力が変化した場合に他の小画面における発光輝度に影響するという問題がある。
本発明は、上記の問題点に鑑み、小画像（小画面）の面積が変更された場合や、高輝度な小画像が表示された場合においても他の小画像の輝度への影響を低減する技術を提供することを目的とする。
【課題を解決するための手段】
【０００６】
本発明の第一態様は、表示画像に基づいて画面に画像を表示する表示手段と、前記表示画像が複数の小画像を含む画像である場合、前記画面における各小画像の表示条件に応じて設定された各小画面の許容消費電力以下で、各小画像が表示される領域を駆動させて、各小画像の輝度を制御する制御手段と、を備える表示装置を提供する。
【０００７】
本発明の第二態様は、表示画像に基づいて画面に画像を表示するステップと、前記表示画像が複数の小画像を含む画像である場合、前記画面における各小画像の表示条件に応じ
た許容消費電力以下で、各小画像が表示される領域を駆動させて、各小画像の輝度を制御するステップと、を備えることを特徴とする表示装置の制御方法を提供する。
【発明の効果】
【０００８】
本発明によれば、小画像の面積が変更された場合や、高輝度な小画像が表示された場合においても他の小画像の輝度への影響を低減することができる。
【図面の簡単な説明】
【０００９】
【図１】実施例１の表示装置の構成の例を示すブロック図である。
【図２】実施例１の表示制御部１００の構成の例を示すブロック図である。
【図３】単画面表示形式の表示例を示す図である。
【図４】複画面表示形式の表示例を示す図である。
【図５】実施例１の電力決定処理の例を示すフローチャートである。
【図６】各小画面に対する許容消費電力の例を示す図である。
【図７】各ＢＬ領域の電力設定処理の例を示すフローチャートである。
【図８】ＢＬ発光部の各ＢＬ領域の例を示す図である。
【図９】二つの小画面を表示した場合のＢＬ領域の第１の制御例を示す図である。
【図１０】二つの小画面を表示した場合のＢＬ領域の第２の制御例を示す図である。
【図１１】実施例２の電力決定処理の例を示すフローチャートである。
【図１２】表示装置の装置構成図である。
【図１３】制御部の機能ブロックを示す図である。
【発明を実施するための形態】
【００１０】
以下、本発明の好ましい実施例について、図面を参照しながら詳細に説明する。各図において、同一の構成については原則として同一の参照番号をふり、重複する説明は省略する。また、説明を具体化するために例示する数値等は、特に言及しない限りは、これに限定するものではない。また、本発明は以下の実施例に限定されるものではなく、その要旨を逸脱しない範囲において適宜変更可能である。例えば、本発明が適用される装置の構成や各種条件によって下記実施例の各構成が適宜修正又は変更されてもよい。
【００１１】
＜実施例１＞
（表示装置の構成）
図１は、表示装置１の装置構成図である。表示装置１は、表示制御部１００、ＢＬ発光部２、及び表示パネル３を有する。ＢＬ発光部２の前面側で、かつＢＬ発光部２と重なる位置に表示パネル３が配置される。表示制御部１００は、例えば、制御用の回路基板であり、ＢＬ発光部２の背面側に配置されるとする。
【００１２】
表示制御部１００は、表示装置１の制御を行う制御回路である。また、表示制御部１００を構成する制御回路基板には、ＢＬ発光部２及び表示パネル３を駆動するために、ＢＬ発光部２及び表示パネル３に電源を供給するための電源基板を含んでいてもよい。具体的には、表示制御部１００は、ＢＬ発光部２が有する複数の光源の輝度を制御し、表示パネル３の透過率を制御する。表示制御部１００の制御処理については、後述する。
【００１３】
ＢＬ発光部２は、個別に輝度を制御可能な複数の光源を備え、表示パネル３に光を照射するバックライトユニットである。なお、個別に光源の輝度が制御されてもよいし、所定の単位数ごとに光源の輝度が制御されてもよい。ＢＬ発光部２は、ＢＬ領域毎に輝度の制御が可能である。すなわち、ＢＬ領域とは、独立して輝度制御が可能なＢＬ発光部２の領域である。図８は、ＢＬ発光部２のＢＬ領域を示す模式図である。ＢＬ領域ｉｊの「ｉ」「ｊ」は、ＢＬ領域の位置を示しており、ｉが列方向の位置を示し、ｊが行方向の位置を示している。例えば、最も左上の場所がＢＬ領域１１となっており、そこから右方向に３
つ進み、下方向に１つ進んだ場所がＢＬ領域２４となっており、そこからさらに右方向に１つ進み、下方向に２つ進んだ場所がＢＬ領域４５となっている。ＢＬ発光部２の各ＢＬ領域は、発光輝度を制御可能な光源を備える。例えば、光源は白色ＬＥＤであるとする。
【００１４】
表示パネル３は、ＢＬ発光部２から照射された光を透過して画像を表示する表示手段である。表示パネル３は、例えば、透過率を制御可能な液晶素子を複数有する液晶パネルであるとする。なお、ＢＬ領域は、表示パネル３の表示領域の一部に対応する。具体的には、ＢＬ領域から発せられた主要な光が照射する表示領域の一部が、当該ＢＬ領域に対応する部分領域である。すなわち、部分領域とは、あるＢＬ領域の前面にあり、当該ＢＬ領域により光が照射される表示パネル３の領域であり、各ＢＬ領域に対して一つの部分領域が対応付けられるものとする。なお、表示パネル３は、ＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳ素子を透過素子として備えるＭＥＭＳシャッター方式の表示パネルであってもよい。
【００１５】
以下、表示制御部１００の各部の機能について説明する。図２は、実施例１の表示制御部１００の構成の例を示すブロック図である。表示制御部１００は、画像処理部１０１、表示条件設定部１０２、電力決定部１０３、映像解析部１０４、輝度決定部１０５、ＢＬ制御部１０６及び画像補正部１０７を有する。画像処理部１０１、表示条件設定部１０２、電力決定部１０３、映像解析部１０４、輝度決定部１０５、ＢＬ制御部１０６及び画像補正部１０７は、それぞれ電子回路等のハードウェアで後述する機能を発揮するものであってもよい。また、画像処理部１０１、表示条件設定部１０２、電力決定部１０３、映像解析部１０４、輝度決定部１０５、ＢＬ制御部１０６及び画像補正部１０７の機能は、不図示のメモリに記憶されたプログラムをプロセッサが読出して実行するものであってもよい。また、電子回路やプロセッサによる実行を混合して用いるものであってもよい。
【００１６】
画像処理部１０１は、外部から複数の入力映像を取得し、表示条件設定部１０２から取得した表示条件を示す情報に基づいて、表示画像を生成して、映像解析部１０４に出力する。
表示条件設定部１０２は、不図示のユーザインタフェースを介してユーザが入力した指示に応じて、表示装置１の表示条件を決定する。表示条件設定部１０２は、表示装置１の表示形式を、単画面表示形式又は複画面表示形式を含む複数の表示形式のいずれかに選択する。単画面表示形式は、１つの映像を表示領域全体に表示させる表示形式である。複画面表示形式は、表示領域に複数の小画面（小画像）を配置し、各々の小画面に映像を表示する表示形式である。複画面表示形式が選択された場合、表示条件設定部１０２は、各小画面の位置（座標）、大きさ（面積）、小画面数等のパラメータを決定する。複画面表示形式が選択された場合の各パラメータは、ユーザインタフェースを介して、ユーザが選択するものであってもよいし、不図示のメモリ等の記憶媒体に予め記憶されたパラメータを読み出して決定されてもよい。さらに、表示条件設定部１０２は、各小画面のダイナミックレンジ（ＨＤＲ、ＳＤＲ等）の表示フォーマットを決定してもよい。図３は、単画面表示形式の表示例を示す図である。図３のように、表示パネル３全体に１つの映像が表示される。以下では、単画面表示形式により画像が表示された表示パネル３の表示領域を単画面というものとする。
【００１７】
図４は、複画面表示形式の表示例を示す図である。図４のように、例えば、表示パネル３に小画面Ｒａ〜Ｒｄが配置され、小画面Ｒａ〜Ｒｄにそれぞれ映像が表示される。また、表示条件設定部１０２は、ユーザの指定に応じて小画面Ｒａ〜Ｒｄのそれぞれの小画面の大きさを設定してもよい。また、表示条件設定部１０２は、複画面表示形式により表示された小画面のうち、ユーザによって選択された小画面を拡大し、単画面表示形式として映像を表示させる制御を行ってもよい。例えば、図４の複画面表示形式において、ユーザが小画面Ｒａを選択したことに応じて、表示条件設定部１０２は、小画面Ｒａを拡大させ
、図３の単画面表示形式に切り替えるように制御してもよい。
【００１８】
また、画面の表示形式を単画面表示形式から複画面表示形式に切り替えた場合、又は複画面表示形式から単画面表示形式に切り替えた場合、表示条件設定部１０２は、画面情報を画像処理部１０１及び電力決定部１０３に送信する。画面情報とは、単画面表示形式であるか複画面表示形式であるかを示す情報、及び複画面表示形式が選択された場合の各小画面の表示条件を示す情報である。例えば、画面情報には、各小画面の面積、各小画面の座標等の情報が含まれる。また、この画面情報は、各小画面の表示条件を示す表示条件情報の一例である。なお、実施例２で説明する輝度情報も表示条件情報の一例である。
そして、表示条件設定部１０２は、複画面表示形式の場合、各小画面の表示パネル３上の画面情報を画像処理部１０１に通知する。
【００１９】
電力決定部１０３は、表示条件設定部１０２から受け取った画面情報を基に各小画面に対する許容消費電力を決定する。許容消費電力とは、小画面において使用できる消費電力の上限値である。許容消費電力は、小画面ごとに個別に決定されるとする。後述するように各小画面において使用される消費電力が各小画面に対して決定された許容消費電力以下の範囲となるようにＢＬ発光部２が制御される。さらに電力決定部１０３は、複画面表示形式の場合は各小画面の面積に応じた許容消費電力を輝度決定部１０５に通知する。なお、許容消費電力の算出方法に関しては、後述する。
【００２０】
映像解析部１０４は、ＢＬ領域に対応する部分領域に表示される表示画像の明るさを示す特徴量を取得する。表示画像とは、表示条件設定部１０２によって決定された表示条件に応じて生成された画像データである。また、特徴量とは、表示パネル３の部分領域に表示される画像の明るさを示す情報である。例えば、特徴量は、部分領域内に表示された画像の輝度値の最大値であるとする。なお、特徴量は、部分領域内に表示された画像の輝度値の平均値、中央値等としてもよい。また、映像解析部１０４は、部分領域内で輝度値の輝度ヒストグラムを生成し、輝度ヒストグラムにおいて輝度値の高い画素から順に数えて所定割合の画素の輝度値を特徴量としてもよい。なお、輝度ヒストグラムは、輝度値は０〜２５５までの範囲であるものとしたとき、各部分領域内での輝度値が０の画素数２０、４０の画素数１０、４１の画素数１、４５の画素数５・・・というように輝度値毎の画素数を有する。映像解析部１０４は、特徴量を輝度決定部１０５に出力する。
【００２１】
輝度決定部１０５は、各ＢＬ領域の発光輝度を決定する。輝度決定部１０５は、部分領域に表示される画像の明るさに応じた発光輝度を対応するＢＬ領域に設定（仮決定）する。輝度決定部１０５は、仮決定したＢＬ領域の発光輝度を画像補正部１０７に出力する。
輝度決定部１０５は、許容消費電力以下の消費電力でＢＬ発光部２が動作するように、仮決定されたＢＬ領域の発光輝度を補正する。単画面表示形式である場合、輝度決定部１０５は、部分領域に表示される画像の明るさに応じた発光輝度を対応するＢＬ領域に設定する。そして、輝度決定部１０５は、あらかじめ設定されたＢＬ発光部２全体に対する許容消費電力以下で、ＢＬ発光部２が駆動するように、設定された各ＢＬ領域の発光輝度を補正する。輝度決定部１０５は、各ＢＬ領域が決定した発光輝度で発光するように制御するためのパラメータを、ＢＬ発光部２に出力してもよい。例えば、ＢＬ発光部２の各ＢＬ領域の光源が所定の周期内の点灯期間と消灯期間との比であるデューティー比に基づいてパルス幅変調（Ｐｕｌｓｅ  Ｗｉｄｔｈ  Ｍｏｄｕｌａｔｉｏｎ、ＰＷＭ）制御されるものであるとする。この場合、輝度決定部１０５は、各ＢＬ領域の発光輝度に基づいて、各ＢＬ領域のデューティー比を決定して、ＢＬ発光部２に出力する。
【００２２】
複画面表示形式で画像を表示する場合、輝度決定部１０５は、各小画面に設定された許容消費電力以下の消費電力で、各小画面に対応するＢＬ領域が動作するように、各ＢＬ領域の発光輝度を補正する。具体的には、以下の手順で各ＢＬ領域の発光輝度を決定する。
（１）小画面に対して光を照射するＢＬ領域を小画面に対応付ける。（２）各部分領域の特徴量に応じて、対応するＢＬ領域の発光輝度を仮決定する。（３）小画面に対応するＢＬ領域を仮決定された発光輝度で駆動した場合の消費電力を算出する。（４）（３）で算出した小画面の消費電力が電力決定部で決定された小画面の許容消費電力よりも高い場合、消費電力が許容消費電力以下となるように各ＢＬ領域の発光輝度を調整する。具体的には、輝度決定部１０５は、調整後の発光輝度＝仮決定された発光輝度×（許容消費電力／（３）で算出された消費電力）となるように発光輝度を決定する。また、発光輝度は、表示パネル３全体に画素値（２５５、２５５、２５５）の白色の画像を表示させた状態で、ＢＬ領域を点灯させた場合の画面表面での輝度の最大値を示すものとする。なお、以下では、発光輝度を示す情報を発光輝度情報と呼ぶ。輝度決定部１０５は、発光輝度情報をＢＬ制御部１０６及び画像補正部１０７に送信する。
【００２３】
ＢＬ制御部１０６は、輝度決定部１０５から受信した発光輝度情報に基づいてＢＬ発光部２の各ＢＬ領域の発光輝度を制御する。ＢＬ発光部２は、ＢＬ領域毎に発光輝度を制御することが可能なバックライトである。ＢＬ発光部２の各ＢＬ領域は白色ＬＥＤを備える。ＢＬ制御部１０６は、取得した各ＢＬ領域の発光輝度に基づいて、各ＢＬ領域の白色ＬＥＤに流れる電流をＰＷＭにより制御して、発光を制御する。なお、輝度決定部１０５が、各ＢＬ領域のデューティー比を出力する場合、ＢＬ制御部１０６はデューティー比で、取得したＢＬ発光部２の各ＢＬ領域の発光輝度を制御する。なお、本実施例においては、ＢＬ領域の発光輝度は、ＰＷＭ制御における点灯期間と消灯期間との比であるデューティー比に比例するとする。すなわち、ＢＬ領域の消費電力は、デューティー比に比例するとする。
【００２４】
画像補正部１０７は、仮決定されたＢＬ領域の発光輝度に基づいて、入力映像の画素値を補正して、表示パネル３に出力する。ＢＬ領域の発光輝度を独立に制御することにより、ＢＬ領域間で発光輝度に差が生じる。入力映像の画素値に後述する補正を行わない場合、ＢＬ領域の発光輝度に影響されて適切な表示輝度で画像が表示されないことがある。例えば、発光輝度が低いＢＬ領域に対応する画素値αの画素の表示輝度と、発光輝度が高いＢＬ領域に対応する画素値αの画素の表示輝度と、が異なる輝度となってしまう。画像補正部１０７は、少なくとも同一の小画面において異なる部分領域に表示される画素値が同一の複数の画素が、同程度の輝度で表示されるように、各部分領域への照射光の輝度に基づいて、各部分領域に対応する入力映像の画素値を補正する。画像補正部１０７は、仮決定した発光輝度で各ＢＬ領域の発光が制御された場合に、各部分領域の照射輝度を推測する演算処理を実行し、照射輝度分布を取得する。照射光とは、各部分領域にＢＬ発光部２から照射される光である。また、照射輝度分布は、仮決定された発光輝度に基づいてＢＬ領域が点灯した場合の照射輝度と、全てのＢＬ領域の発光輝度を最大値とした場合の照射輝度との比率（照射輝度比）で表すとする。画像補正部１０７は、部分領域の画素ごとに照射輝度比を取得する。画像補正部１０７は、照射輝度比の逆数を補正値として、入力映像の各画素の画素値に乗算して、補正する。
【００２５】
（電力決定処理のフロー）
表示条件設定部１０２が画面の表示形式（単画面表示形式、複画面表示形式）を切り替えた場合に、電力決定部１０３は、単画面又は各小画面に対する許容消費電力を決定する処理を行う。以下、フローチャートを用いて電力決定処理の例について説明する。図５は、実施例１の電力決定処理の例を示すフローチャートである。
【００２６】
ステップＳ５０１で電力決定部１０３は、表示条件設定部１０２から送信された画面情報に基づいて、表示領域における画像の表示条件が変更されたか否かを判定する。例えば、電力決定部１０３は、画面の表示形式（単画面表示形式、複画面表示形式）が切り替えられたか否かを判定する。また、電力決定部１０３は、複画面表示形式において小画面の
面積が変更された場合に表示条件が変更されたと判定してもよい。表示条件が変更された場合、電力決定部１０３は、ステップＳ５０２の処理に移行する。すなわち、電力決定部１０３は、表示形式を切り替えた場合や小画面の面積が変更された場合に図５のフローにより各小画面に対する許容消費電力を決定し、更新する。
【００２７】
ステップＳ５０２で電力決定部１０３は、画面の表示形式が複画面表示形式であるか否かを判定し、複画面表示形式の場合、ステップＳ５０３の処理に移行し、単画面表示形式の場合、ステップＳ５０４の処理に移行する。
【００２８】
ステップＳ５０３で電力決定部１０３は、画面情報から各小画面の面積を取得し、各小画面の面積比に基づいて各小画面に対する許容消費電力を決定する。具体的には、電力決定部１０３は、各小画面が使用できる電力の最大値である許容消費電力Ｐｍａｘ（ｔ）を、式１を用いて算出する。なお、「ｔ」は各小画面の識別記号である。総電力Ｐは、あらかじめ定められた表示装置１が使用できる電力のうちシステム基盤等を動作させるために必要な電力を差し引いた、バックライト全体に使用できる電力のことである。また、Ｓ（ｔ）は、小画面ｔの面積である。例えば、Ｓ（ｔ）は、小画面ｔ内の画素数であるとする。Ｓ（ｔ）は、小画面ｔの縦方向の長さ及び横方向の長さを乗算した実際の面積であってもよい。また、Ｓは、全ての小画面の面積（画素数）の合計値である。
Ｐｍａｘ（ｔ）＝Ｐ×（Ｓ（ｔ）／Ｓ）・・・（式１）
なお、式１では、Ｓを小画面の面積（画素数）の合計としたが、「表示領域全体の面積（画素数）」としてもよい。
【００２９】
図６は、各小画面に対する許容消費電力の例を示す図である。図６では複画面表示形式で小画面Ｒａ、小画面Ｒｂ、小画面Ｒｃ及び小画面Ｒｄが表示されている場合に、電力決定部１０３が式１を用いて算出した各小画面に対する許容消費電力を示している。なお、総電力は６００Ｗであるものとする。小画面Ｒａ、小画面Ｒｂ、小画面Ｒｃ及び小画面Ｒｄの画素数（面積）は、画面情報から取得される。例えば、電力決定部１０３は、小画面Ｒａには２００万画素含まれるため、許容消費電力を２００Ｗとし、小画面Ｒｂには１００万画素含まれるため、許容消費電力を１００Ｗとする。また、電力決定部１０３は、小画面Ｒｃ及び小画面Ｒｄには１５０万画素含まれるため、許容消費電力を１５０Ｗとする。
【００３０】
また、Ｓ５０２でＮｏである場合、即ち、単画面表示形式が選択された場合、ステップＳ５０４で電力決定部１０３は、総電力Ｐを単画面の許容消費電力とする。以上の処理により、単画面又は各小画面の許容消費電力が決定される。
【００３１】
（各ＢＬ領域の電力設定処理のフロー）
輝度決定部１０５は、入力映像の特徴量に基づいて各ＢＬ領域の発光輝度を仮決定し、仮決定された発光輝度で各ＢＬ領域が発光した場合の各小画面に対応するＢＬ領域の消費電力を取得する。輝度決定部１０５は、各小画面に対応するＢＬ領域の消費電力の合計が、予め小画面に設定された許容消費電力を超えないように、各ＢＬ領域の仮決定された発光輝度を補正する。以下では、ＢＬ領域毎の発光輝度を決定する処理について説明する。
【００３２】
図７は、各ＢＬ領域の電力設定処理の例を示すフローチャートである。図７のフローチャートは、小画面毎に実行される処理となっており、小画面の数に応じた回数分、実行される。ステップＳ７０１で輝度決定部１０５は、図５のステップＳ５０３において算出された小画面ｔの許容消費電力Ｐｍａｘ（ｔ）を取得する。ステップＳ７０２で輝度決定部１０５は、小画面ｔに対応するＢＬ領域を特定する。すなわち、小画面ｔが表示される部分領域の背面側にあり、小画面ｔを表示する部分領域に光を照射するＢＬ領域が特定される。以下では、小画面ｔに対応するＢＬ領域を対応ＢＬ領域という。
【００３３】
ここで、小画面と、対応ＢＬ領域との関係について説明する。図８は、ＢＬ発光部２のＢＬ領域の配置を示す模式図である。図９は、４つの小画面を表示した場合の小画面位置を、ＢＬ領域の配置模式図に重畳して示した模式図である。図９の小画面Ｒａ〜Ｒｄは、図４に示される各小画面であり、ＢＬ発光部２の前面に配置された表示パネル３において、各小画面が表示されている領域を示す。
輝度決定部１０５は、小画面が表示される部分領域の背面にあるＢＬ領域を、当該小画面に対応する対応ＢＬ領域とする。図９に示した配置で表示する場合、輝度決定部１０５は、小画面Ｒａが表示される部分領域の背面側にあるＢＬ領域１１、１２、１３、２１、２２及び２３を小画面Ｒａに対応する対応ＢＬ領域であるとする。同様に、輝度決定部１０５は、小画面Ｒｂが表示される部分領域の背面側にあるＢＬ領域３１、３２、３３、４１、４２及び４３を小画面Ｒｂに対応する対応ＢＬ領域であるとする。小画面Ｒｃ，Ｒｄについても同様に対応ＢＬ領域を特定する。なお、ＢＬ領域１４、２４はいずれの小画面にも対応しない。
【００３４】
ステップＳ７０３で輝度決定部１０５は、小画面内の各部分領域の特徴量に応じて、対応ＢＬ領域の発光輝度を仮決定する。例えば、特徴量が部分領域内の画素値の最大値であった場合、各部分領域内の画素値の最大値に基づいて各対応ＢＬ領域の発光輝度（仮発光輝度Ｌｉｊ（ｔ））が仮決定される。仮発光輝度Ｌｉｊ（ｔ）は、非図示のメモリ等の記録媒体に記憶される。なお、「ｉ」「ｊ」は、ＢＬ領域の位置を示す符号である。
【００３５】
ステップＳ７０４で輝度決定部１０５は、各対応ＢＬ領域を仮発光輝度Ｌｉｊ（ｔ）で発光するように制御した場合の小画面ｔの消費電力（仮決定消費電力Ｐ（ｔ））を算出する。このとき、輝度決定部１０５は、予めメモリ等に記憶されたＢＬ領域の発光輝度と消費電力との対応関係を示すテーブルを参照して、仮発光輝度Ｌｉｊ（ｔ）に基づいて小画面ｔに対応する対応ＢＬ領域の仮決定消費電力Ｐ（ｔ）を取得するとする。
また、本実施例では、ＰＷＭ（Ｐｕｌｓｅ  Ｗｉｄｔｈ  Ｍｏｄｕｌａｔｉｏｎ）制御でＢＬ領域の輝度を制御する。この場合、輝度決定部１０５は、発光輝度とデューティー比との対応関係を示すテーブルに基づいて、仮発光輝度Ｌｉｊ（ｔ）で対応ＢＬ領域を駆動するためのデューティー比Ｄｉｊ（ｔ）を取得する。さらに、輝度決定部１０５は、デューティー比と消費電力との対応関係を示すテーブルを参照して、小画面ｔに対応する対応ＢＬ領域の仮決定消費電力Ｐ（ｔ）を取得することも可能である。
【００３６】
ステップＳ７０５で輝度決定部１０５は、小画面の仮決定消費電力Ｐ（ｔ）が許容消費電力Ｐｍａｘ（ｔ）より大きいか否かを判定する。仮決定消費電力Ｐ（ｔ）の方が大きい場合、ステップＳ７０６の処理に進み、そうでない場合、ステップＳ７０７の処理に進む。
ステップＳ７０６で輝度決定部１０５は、消費電力が許容消費電力Ｐｍａｘ（ｔ）以下の範囲となるように対応ＢＬ領域の発光輝度を補正する処理を行う。輝度決定部１０５は、仮決定消費電力Ｐ（ｔ）が許容消費電力Ｐｍａｘ（ｔ）よりも大きい場合に、対応ＢＬ領域の仮発光輝度よりも低い発光輝度で、対応ＢＬ領域が発光するように対応ＢＬ領域の発光輝度を決定する。具体的には、発光輝度がＢＬ領域の消費電力に比例する場合、輝度決定部１０５は、仮決定消費電力Ｐ（ｔ）と許容消費電力Ｐｍａｘ（ｔ）との比率に応じた係数を、仮決定された対応ＢＬ領域の仮発光輝度に乗算して、対応ＢＬ領域の補正後の新発光輝度とする。例えば、仮決定消費電力Ｐ（ｔ）及び許容消費電力Ｐｍａｘ（ｔ）を以下の式２に代入して小画面ｔに対応する各ＢＬ領域の新発光輝度Ｌｉｊ（ｔ）’を算出する。なお、Ｌｉｊ（ｔ）は、ステップＳ７０４で所定の記憶領域に記憶された対応ＢＬ領域の仮決定輝度である。
新発光輝度Ｌｉｊ（ｔ）’ =（Ｐｍａｘ（ｔ） / Ｐ（ｔ）） × Ｌｉｊ（ｔ）・・・
（式２）
【００３７】
なお、輝度決定部１０５は、仮決定消費電力Ｐ（ｔ）と許容消費電力Ｐｍａｘ（ｔ）との比率に応じた係数（補正値）を、仮決定された対応ＢＬ領域の消費電力に乗算して、対応ＢＬ領域の補正後の消費電力を求めることも可能である。仮決定消費電力Ｐ（ｔ）と許容消費電力Ｐｍａｘ（ｔ）との比率よりも小さい値を用いてもよい。そして、補正後の対応ＢＬ領域の消費電力に応じて対応ＢＬ領域の発光輝度が設定される。
また、発光輝度と消費電力とが比例関係にない場合は、予めメモリに記憶された発光輝度と消費電力との対応関係を示すテーブルを参照して、対応ＢＬ領域の補正後の発光輝度を求めてもよい。
【００３８】
ステップＳ７０７で輝度決定部１０５は、各対応ＢＬ領域の発光輝度を決定する。ステップＳ７０５で小画面の仮決定消費電力Ｐ（ｔ）が許容消費電力Ｐｍａｘ（ｔ）より大きいと判定され、ステップＳ７０６で対応ＢＬ領域の発光輝度が補正された場合、補正後の新発光輝度（Ｌｉｊ（ｔ）’）を対応ＢＬ領域の発光輝度とする。一方、ステップＳ７０５で小画面の仮決定消費電力Ｐ（ｔ）が許容消費電力Ｐｍａｘ（ｔ）より大きくないと判定された場合、輝度決定部１０５は、仮決定された対応ＢＬ領域の発光輝度（Ｌｉｊ（ｔ））を当該対応ＢＬ領域の発光輝度とする。
本実施例では、ＰＷＭ（Ｐｕｌｓｅ  Ｗｉｄｔｈ  Ｍｏｄｕｌａｔｉｏｎ）制御でＢＬ領域の輝度を制御する。この場合、輝度決定部１０５は、仮発光輝度Ｌｉｊ（ｔ）で対応ＢＬ領域を駆動するためのデューティー比Ｄｉｊ（ｔ）に対して、仮決定消費電力Ｐ（ｔ）と許容消費電力Ｐｍａｘ（ｔ）との比率を乗算して駆動デューティー比Ｄ’ｉｊ（ｔ）を取得する。駆動デューティー比Ｄ’ｉｊ（ｔ）で、対応ＢＬ領域を駆動することにより、対応ＢＬ領域の消費電力を許容消費電力Ｐｍａｘ（ｔ）以下にすることが可能となる。
また、輝度決定部１０５は、決定した発光輝度に基づいて、各対応ＢＬ領域のデューティー比（光源の点灯期間と消灯期間との比）を、決定してもよい。
【００３９】
複数の小画面に対応するＢＬ領域が存在する場合の制御について説明する。図１０は、二つの小画面を表示した場合のＢＬ領域の第２の制御例を示す図である。小画面Ｒｅ及び小画面Ｒｆの両方の画像が表示される部分領域の背面側にＢＬ領域１４、２４、３４が存在する。以下では、ＢＬ領域１４、２４、３４のように複数の小画面が表示される部分領域の背面側にあるＢＬ領域を重複ＢＬ領域と呼ぶ。
輝度決定部１０５は、重複ＢＬ領域に対してあらかじめ輝度を決定しておく。例えば、輝度決定部１０５は、重複ＢＬ領域に関し、１つの小画面の背面にあるＢＬ領域の平均的な輝度よりも大きい輝度としてもよい。また、輝度決定部１０５は、重複ＢＬ領域に関し、ＢＬ領域の発光輝度を最大としたとき輝度としてもよい。また、輝度決定部１０５は、重複ＢＬ領域の前面に位置する複数の小画面に表示された画像のうち、最も高輝度値の画像（画素）に基づいて重複ＢＬ領域の発光輝度を決定してもよい。
そして、輝度決定部１０５は、各重複ＢＬ領域に設定された発光輝度に応じた電力を算出し、総電力Ｐから当該電力を差し引いた電力を式（１）の総電力Ｐとし、各小画面に対する許容消費消費電力Ｐｍａｘ（ｔ）を求める。
なお、１つの小画面の背面にあるＢＬ領域の発光輝度に関しては、各重複ＢＬ領域に対する電力を総電力Ｐから差し引いた電力に基づいて図５の手順で各小画面の許容消費電力Ｐｍａｘ（ｔ）を決定し、図７の手順で各ＢＬ領域の発光輝度を求めてもよい。
【００４０】
上述した表示装置によれば、複数の小画面を表示する場合に、各小画面が表示される部分領域に対応するＢＬ領域群に対して、それぞれ独立して消費電力に基づく発光輝度の制限を行うことができる。言い換えれば、複数の小画面を表示する場合に、各小画面が表示される部分領域に対して、それぞれ独立して消費電力に基づく表示輝度の制限を行うことができる。したがって、複数の小画面を表示する場合に、一つの小画面の輝度の変動に応じて、他の小画面の表示輝度が変動することを抑制することが可能となる。
また、小画面の面積に応じて許容消費電力が決定することにより、ユーザの配置の嗜好に応じた制御をすることが可能となる。仮に小画面に対して一定の電力を割り当てるものとすると、ユーザが小画面を大きく表示させた場合に画像の輝度が低下する。一方で、本実施例によれば、小画面の面積が大きいほど、対応する許容消費電力を大きくするので、小画面の詳細を確認するためにユーザが大きく表示した場合に、消費電力による輝度低下が発生することを抑制することが可能となる。
【００４１】
また、上記の実施例では、液晶ディスプレイのＢＬ発光部２（バックライト）の電力制御について説明したが、これに限定されず、さらに表示パネル３（液晶パネル）の電力制御を行ってもよい。例えば、各小画面に表示される映像のフレームレートに基づいて表示パネル３に表示された各小画面に許容消費電力を決定してもよい。
また、一部の小画面に静止画を表示させてもよい。例えば、一部の小画面に静止画を表示させる場合、静止画を表示する小画面に対して所定の電力を確保し、総電力から前記所定の電力を差し引いた電力を、前記表示条件情報に基づいて他の各小画面に対する許容消費電力とする。これにより、他の小画面に表示される動画の内容によって静止画の輝度低下が発生することを抑制することが可能となる。
【００４２】
＜実施例２＞
（表示装置の構成）
以下の実施例２に係る説明では、実施例１との相違点を中心に説明する。実施例１と同一処理を行う構成に対しては実施例１で説明したものと同一の符号を付与し、適宜説明を省略する。
実施例２においては、電力決定部１０３及び映像解析部１０４が実施例１と異なる処理を行う。
実施例２において映像解析部１０４は、実施例１と同様に特徴量を取得する他、入力映像データ（画像データ）のヘッダ部から輝度情報を取得し、電力決定部１０３に輝度情報を送信する。輝度情報とは、小画面に表示される画像の明るさに関する情報である。
【００４３】
例えば、輝度情報は、ＨＤＲ画像、ＳＤＲ画像（Ｓｔａｎｄａｒｄ  Ｄｙｎａｍｉｃ  Ｒａｎｇｅ）等の画像の表示モードであってもよい。
また、輝度情報は、画像データの最大輝度に関する情報であってもよい。例えば、輝度情報は、ＨＤＲにおいてＣＥＡ−８６１．３で定義されるＭａｘＦＡＬＬ（Ｍａｘｉｍｕｍ  Ｆｒａｍｅ  Ａｖｅｒａｇｅ  Ｌｉｇｈｔ  Ｌｅｖｅｌ）であってもよい。ＭａｘＦＡＬＬは、フレーム内平均輝度の最大値を示している。また、輝度情報は、ＭａｘＣＬＬ（Ｍａｘｉｍｕｍ Ｃｏｎｔｅｎｔｓ Ｌｕｍｉｎａｎｃｅ Ｌｅｖｅｌ）であってもよい
。ＭＡＸＣＬＬは、コンテンツ内の最大輝度値を示している。また、輝度情報は、画像データの輝度最大値と輝度最小値との差分であってもよい。
電力決定部１０３は、映像解析部１０４から輝度情報を受信し、輝度情報に基づいて各々の小画面の許容消費電力を決定する。
【００４４】
図１１は、実施例２の電力決定処理の例を示すフローチャートである。ステップＳ１１０１で電力決定部１０３は、表示条件設定部１０２により画面の表示形式が切り替えられたか否かを判定する。表示形式が切り替えられた場合、電力決定部１０３は、ステップＳ１１０２の処理に移行する。なお、実施例１と同様に複画面表示形式で小画面の面積が変更された場合においてもステップＳ１１０２の処理に移行する。
ステップＳ１１０２で電力決定部１０３は、画面の表示形式が複画面表示形式であるか否かを判定し、複画面表示形式の場合、ステップＳ１１０３の処理に移行し、単画面表示形式の場合、ステップＳ１１０５の処理に移行する。
ステップＳ１１０３で映像解析部１０４は、各入力映像データのヘッダ部から輝度情報を取得する。
【００４５】
ステップＳ１１０４で電力決定部１０３は、各々の輝度情報に基づいて各小画面の許容消費電力Ｐｍａｘ（ｔ）を決定する。具体的には、電力決定部１０３は、小画面ｔに対する許容消費電力Ｐｍａｘ（ｔ）を以下の式３を用いて算出する。なお、ｋｉは、輝度情報に基づいて決定される定数であり、例えば、小画面ｉに対応する映像がＨＤＲである場合、ｋｉを２とし、ＳＤＲである場合、ｋｉを１としてもよい。また、ｋｉは、ＭａｘＦＡＬＬ又はＭａｘＣＬＬに基づいて決定されてもよい。例えば、ｋｉは、ＭａｘＣＬＬからｌｏｇをとる（対数をとる）ことで算出されてもよい。また、ｋｉは、コンテンツの最大輝度と最小輝度の差分値からｌｏｇをとることで算出されてもよい。なお、ｎは、小画面の総数である。
【数１】
2019039980.tif 000003
【００４６】
このように、表示される画像の輝度に応じた許容消費電力Ｐｍａｘ（ｔ）とすることにより、高輝度な画像が表示される小画面に対する許容消費電力Ｐｍａｘ（ｔ）が大きくなり、輝度不足を抑制することができる。また、各小画面に対する許容消費電力Ｐｍａｘ（ｔ）を決定することで、他の小画面の消費電力の変化による自小画面に表示される画像の輝度への影響を抑制することができる。
【００４７】
＜実施例３＞
実施例１では、各小画面の面積に基づいて各小画面の許容消費電力が決定され、実施例２では、輝度情報に基づいて各小画面の許容消費電力が決定されたが、小画面の面積及び輝度情報の両方に基づいて各小画面の許容消費電力が決定されてもよい。
具体的には、図１１のステップＳ１１０３で電力決定部１０３が各小画面の面積と輝度情報とを取得し、ステップＳ１１０４で電力決定部１０３が各小画面の面積及び輝度情報に基づいて小画面ｔの許容消費電力Ｐｍａｘ（ｔ）を決定する。電力決定部１０３は、小画面ｔの許容消費電力Ｐｍａｘ（ｔ）を以下の式４を用いて算出する。
【数２】
2019039980.tif 000004
【００４８】
以上のように小画面の面積及び輝度情報に基づいて各小画面に対する許容消費電力を設定することで、各小画面に対してより適切な許容消費電力が設定されるため、各小画面でより適切な輝度で画像が表示されるようになる。
【００４９】
＜実施例４＞
実施例１、実施例２および実施例３は、ＢＬ発光部２から照射された光を透過して画像
を表示する透過型の表示装置において複数の小画面を表示する場合において、小画面ごとに独立に消費電力制御を行う場合について説明した。実施例４では、有機ＥＬディスプレイ等のような自発光型の表示装置において、複数の小画面それぞれに対して独立に消費電力制御を行う場合について説明する。
実施例４における表示装置１１は、それぞれ独立して発光する自発光素子がマトリクス状に配置された自発光型の表示装置である。表示装置１１は、例えば自発光素子として、有機ＥＬ素子を用いる有機ＥＬディスプレイであるとする。図１２は、表示装置１１の装置構成図である。表示装置１１は、有機ＥＬモジュール２０１と、制御部２１０とを備える。有機ＥＬモジュール２０１は、マトリクス状に有機ＥＬ素子が配置された表示モジュールである。制御部２１０は、表示画像に基づいて、有機ＥＬモジュール２０１の各有機ＥＬ素子の発光輝度を個別に制御する制御回路である。制御部２１０は、ＰＷＭ制御で各有機ＥＬ素子に印加する電圧、もしくは電流を制御するとする。制御部２１０は、表示画像の各画素の階調値に基づいて、対応する有機ＥＬ素子のＰＷＭのデュ−ティ比を制御するとする。なお、図１２は模式図であり、実際の有機ＥＬモジュールにはより多数の有機ＥＬ素子が配置される。
【００５０】
図１３は、制御部２１０の機能ブロックを示す図である。制御部２１０は、表示画像生成部２１１、表示条件設定部２１２、消費電力補正部２１３、モジュール制御部２１４、およびメモリ２１５を備える。表示画像生成部２１１、表示条件設定部２１２、消費電力補正部２１３、およびモジュール制御部２１４は、それぞれ電子回路等のハードウェアで後述する機能を発揮するものであってもよい。また、表示画像生成部２１１、表示条件設定部２１２、消費電力補正部２１３、およびモジュール制御部２１４の機能は、メモリ２１５に記憶されたプログラムをプロセッサが読出して実行することにより実現されるものであってもよい。また、電子回路やプロセッサによる実行を混合して用いるものであってもよい。
表示画像生成部２１１は、外部装置もしくはメモリ２１５から入力された画像と、表示条件設定部２１２から入力された表示条件に基づいて、表示画像を生成する。
表示条件設定部２１２の機能は、実施例１等に記載の表示条件設定部１０２と同様の機能であることから詳細な説明は省略する。表示条件設定部２１２は、ユーザからの指示やメモリ２１５に予め記憶されたレイアウトデータ等に基づいて、表示条件を決定し、表示画像生成部２１１および消費電力補正部２１３に出力する。
【００５１】
消費電力補正部２１３は、取得した表示条件に基づいて、表示装置２００に許容される消費電力（許容消費電力）を設定し、一つの画面を表示した場合において許容消費電力以下の消費電力で表示装置２００が動作するように補正値を決定する。また、消費電力補正部２１３は、表示条件設定部２１２から表示画像が複数の小画面を含む表示条件であることを示す情報を取得した場合、実施例１から実施例３に記載した方法と同様の方法で、小画面ごとに許容消費電力を設定する。具体的には、各小画面の面積、輝度情報の一方又は両方に基づいて許容消費電力を設定する。
上述したように制御部２１０が表示画像の各画素の階調値に基づいて対応する有機ＥＬ素子のＰＷＭのデュ−ティ比を制御する場合、各有機ＥＬ素子で消費される電力は、おおよそ階調値に比例する値である。したがって、本実施例では消費電力補正部２１３は、許容消費電力を、階調値と画素数（小画面の面積）とを乗算した値で表すとする。例えば、有機ＥＬモジュールの制御階調値が８ビットであり、有機ＥＬモジュールの画素数が４Ｋ（４０９６×２１６０）である場合、許容消費電力の最大値Ｐは、１１２８０３８４００（＝２５５×４０９６×２１６０×０．５）であるとする。これは、有機ＥＬモジュールのすべての有機ＥＬ素子を制御可能な最大の明るさで制御した場合の消費電力の半分の消費電力を許容することを意味する。消費電力補正部２１３は、許容消費電力の最大値Ｐを、表示条件に応じて小画面ごとに予め割り付ける。
【００５２】
また、消費電力補正部２１３は、表示画像生成部１２１で生成された表示画像に基づいて、有機ＥＬモジュール２０１を駆動した場合に、有機ＥＬモジュール２０１において小画面が表示される領域で消費される電力を推測する。消費電力補正部２１３は、小画面内の各画素の平均階調値を求め、平均階調値に画素数を乗算した値を、当該小画面の消費電力を示す値として用いるとする。推測した各小画面の消費電力を、推定消費電力とする。
なお、実際の推定消費電力は、上述した小画面の平均階調値に小画面の画素数を乗算した値に対して、所定の係数をかけることによって算出してもよい。
消費電力補正部２１３は、各小画面の推定消費電力と許容消費電力とを比較して、補正値を決定する。消費電力補正部２１３は、推定消費電力が設定された許容消費電力よりも高い小画面に対して、推定消費電力と許容消費電力との比に応じた値を補正値として決定する。例えば、消費電力補正部２１３は、許容消費電力／推定消費電力を補正値とするとする。有機ＥＬモジュールの階調値にこの補正値を乗算することで、階調値が補正される。また、消費電力補正部２１３は、推定消費電力が設定された許容消費電力よりも高くない小画面に対して、補正が実質的に実行されない値を補正値として決定する。例えば、補正値を１とする。
消費電力補正部２１３は、表示画像の画素ごとに対応する補正値を、モジュール制御部２１４が認識可能な形式で、補正値を示す情報を出力する。例えば、消費電力補正部２１３は、画素ごとに補正値を示した補正画像をモジュール制御部２１４に出力するとする。なお、消費電力補正部２１３は、小画面の位置、大きさを示す情報と、当該小画面の補正値を示す情報とをモジュール制御部２１４に出力してもよい。
【００５３】
モジュール制御部２１４は、消費電力補正部２１３から取得した補正値に基づいて補正した表示画像に基づいて、有機ＥＬモジュール２０１を制御する。具体的には、モジュール制御部２１４は、表示画像の各画素の階調値に、消費電力補正部２１３から取得した各画素の補正値を乗算することで各画素の階調値を補正する。これにより消費電力補正部２１３で、補正前の表示画像に基づいて画像を表示した場合に推定消費電力が許容消費電力を上回ると判断された小画面の階調値が低減される。この結果、当該小画面の表示輝度は補正前の表示画像に基づいて表示した場合よりも低減され、各小画面の消費電力を許容消費電力以下とすることが可能となる。モジュール制御部２１４は、補正された表示画像に基づいて、有機ＥＬモジュール２０１を制御する。
【００５４】
上述の処理によれば、自発光型の表示装置において複画面表示形式で画像を表示する場合に、各小画面に消費電力が許容消費電力以下になるように独立に制御することが可能となる。したがって、表示装置の消費電力の増大を抑制しつつ、ある小画面の明るさが他の小画面の表示輝度に影響を及ぼすことを抑制することが可能となる。
【符号の説明】
【００５５】
１：表示装置、２：ＢＬ発光部、３：表示パネル、１０２：表示条件設定部、１０３：電力決定部、１０４：映像解析部、１０５：輝度決定部、１０６：ＢＬ制御部、１０７：画像補正部
【図１】
2019039980.tif 000005
【図２】
2019039980.tif 000006
【図３】
2019039980.tif 000007
【図４】
2019039980.tif 000008
【図５】
2019039980.tif 000009
【図６】
2019039980.tif 000010
【図７】
2019039980.tif 000011
【図８】
2019039980.tif 000012
【図９】
2019039980.tif 000013
【図１０】
2019039980.tif 000014
【図１１】
2019039980.tif 000015
【図１２】
2019039980.tif 000016
【図１３】
2019039980.tif 000017